(57)【要約】      （修正有）【課題】商品を陳列、販売するための商品陳列用具で、商品表示や広告用情報表示を印刷した印刷物を保持するためのもので、保持するための印刷物の挿入を簡単に行ない得る商品陳列用具を提供する。【解決手段】商品陳列用具は、側面板２と前面板３とよりなり、前面板３の前に更に保持板５を設け、前面板３と保持板５の間にて印刷物を保持するもので、前面板３の上方３ａより印刷物を簡単に挿入し得ると共に前面板３と保持板５とにより印刷物を確実に保持し得る。【選択図】図１
0003157592.tif 000002
【実用新案登録請求の範囲】
【請求項１】
上下方向に伸びる側板と、この側板の上端部分より斜め前方および下方に伸びる前面板と、前面板と側面板との間に商品落下防止用の板又は商品落下防止用の網を挟むようにした保持用突出部を設けて陳列棚の前側部分に固定配置するようにした商品陳列用具であって、前記前面板の前に前記前面板とほぼ同一形状でほぼ同一の長さの印刷物保持部材を設けたことを特徴とする商品陳列用具。
【請求項２】
前記印刷物保持部材の下端部にカード差しを設けた請求項１の商品陳列用具。
【請求項３】
前記側面板に商品見本等を取り付け保持する保持部を更に備えた請求項１又は２の商品陳列用具。
【考案の詳細な説明】
【技術分野】
【０００１】
本考案は、商品販売時に商品陳列棚上に商品を陳列するに際して使用される商品陳列用具に関するもので特に商品情報等の表示部分その他に特徴を有するものである。
【背景技術】
【０００２】
従来の商品陳列用具例えば陳列用トレイは、プラスチック、厚紙、金属等にて形成された底の浅い容器状のもので、その中に販売すべき商品が外から明瞭に見得るように又簡単に取り出し得るように置かれており、更にその前面には差し込みその他の手段にて容易に商品に関する表示を行なったラベル等を取り付け得るような構成のものが一般的である。
【０００３】
又、トレイの大きさは、商品を置いた状態にて持ち歩きや陳列棚への設置が容易であるように、比較的小型であって商品を置いた状態でも軽量であるように構成されている。
【０００４】
このように小型軽量であるため、陳列棚へ設置した後にトレイ上の個々の商品の取り出しの際に商品と共にトレイが移動するおそれがあった。特にトレイ上の商品の数が少なくなり、一層軽量になるとトレイの移動が一層おこりやすく、所定位置からのずれや所定の向きからのずれを生じ商品陳列上好ましくない。
【０００５】
又、薄型のパッケージ入りの商品をトレイに入れて展示する場合、商品が見やすいように、又商品をトレイから取り出し易いように立てて（上下方向に長くなるように）配置することがある。
【０００６】
このようにトレイに商品を立てておいた場合、商品が倒れ易く、特に商品の数が少なくなった場合には、倒れ易く又斜めにずれるおそれがある。
【０００７】
又、商品の販売時の広告、商品の特徴等をアピールするために、広告用情報表示（ＰＯＰ）を行なうことがあるが、従来の陳列用トレイ等の陳列用具は商品表示等を行なう場所が限られるため広告のための効果が十分得られない。
【０００８】
又、前面板等の商品の表示、広告用情報表示等を含めて商品陳列のための機能を多く備えていて、これらの機能が最も効果的になし得るようにそれらを容易に変形可能な構造にした商品陳列用具は、殆ど知られていない。
【０００９】
上記のような問題を解消するためになされた商品陳列用具の従来例のうち、商品等の表示手段に特徴を有する従来技術として、次の文献に記載された商品陳列用具がある。
【先行技術文献】
【特許文献】
【００１０】
【特許文献１】実用新案登録第３１２０７６９号
【特許文献２】実用新案登録第３１２５４８５号    この文献１に記載されている商品陳列用具は、上下方向に伸びる側板と、この側板の上端部分より斜め前方および下方に伸びる前面板と、前面板と側板との間に商品落下防止用の板または商品落下防止用の網を挟むようにした保持用突出部を備え、これにより商品陳列用具を保持するようにしたもので、この前面板の上側端部で側板との間および下側短部の内側に夫々形成されたＵ字状の保持部を有する構成である。そして上側端部と下側端部とに形成された両Ｕ字状の保持部を利用して、商品に関する情報等の印刷した印刷物を保持するようにした。
【００１１】
このように文献１に記載する商品陳列用具は、二つのＵ字状保持部を利用して印刷物を保持し得るため印刷物の保持が容易であると共に印刷物の交換も容易である。しかも、印刷物は、その印刷された内容を透明の前面板を通して見得ると共に印刷面の汚れを防止することになる。
【００１２】
つまり、この文献１の商品陳列用具は、図２に示すような構成で、図において、２２は側板、２３は前面板、２４は商品陳列棚の先端部分に設けられた商品の落下を防止するための板あるいは網を挟むように構成された保持用突出部であって、前記の商品の落下を防止するための板または網を側板２２と保持用突出部２４の間に挿入し挟むことにより、商品陳列棚の先の部分に配置、固定して使用する。
【００１３】
この文献１の商品陳列用具には、側板２２と前面板２３の間で両者の結合部分付近にＵ字状保持部２３ａと前面板２３の先端の内側に同様のＵ字状保持部２３ｂが形成されている。そして、この二つのＵ字状保持部２３ａ、２３ｂを利用して、前面板の裏側に、例えば商品情報を印刷した印刷物を保持するようにしている。つまり、印刷物をその印刷面が前面板側に向くようにして二つのＵ字状保持部２３ａ、２３ｂにより保持することにより、透明な前面板２３を透して印刷された内容が明瞭に見得るようにしてある。
【００１４】
又、文献２には上下方向に伸びる側板と、この側板の上側端部より斜め前方および下方に伸びる前面板とよりなり、前面板と側板との間に陳列棚の先端に設けられている商品が落下するのを防止する板又は網を挟むように構成した保持用突出部を備え、前面板の下側端部より、前面板の表面の上方向に向けて伸びた前面板を含めて全体としてＵ字状をなす保持部（カード差し）を一体に形成したことを特徴とする。
【００１５】
この文献２の商品陳列用具は、陳列棚に商品落下防止用の板や網が設けられている場合も使用し得るものであって、しかも、前面板の下側端部に設けられているＵ字状の保持部（カード差し）を利用して、商品陳列棚に置く商品の情報等を印刷したカードを挿入保持するようにしたものである。
【００１６】
つまり、この文献２に記載されている商品陳列用具は、文献１に記載されている商品陳列用具の先端部分にカード差しを設けたものである。
【００１７】
このようなカード差しが前面板の表面に設けられているため、カードの挿入やカードの交換が極めて簡単に行ない得る。
【００１８】
この文献２の商品陳列用具を図３をもとに説明すると次の通りである。
【００１９】
この文献２の図３において２２は側面板、２３は前面板、２４は例えば商品陳列棚の先端部分に設けられている商品落下防止用の板あるいは商品落下防止用の網を側面板２２と共に保持するための保持用の突出部である。又前面板２３の上側端部と下側端部には、その裏側に夫々Ｕ字状保持部２３ａ，２３ｂが設けられている。更に、前面板２３の上側端部には、側面板２２とにて構成される他のＵ字状の保持部２３ｃが形成されている。
【００２０】
この文献２の商品陳列用具は、図３に示すように前面板２３の下側端部にＵ字状の保持部２３ｂとは反対側（表面側）に他のＵ字状の保持部を設けたことを特徴とする。
【００２１】
このＵ字状の保持部（カード差し）にカードを挿入して使用する。
【００２２】
このＵ字状の保持部（カード差し）を設けたことにより、前面よりカードを挿入することが可能であり、カードの取り付け交換にとって極めて便利な構成である。
【考案の概要】
【考案が解決しようとする課題】
【００２３】
前記文献１、２に記載されている商品陳列用具は、商品の販売時に商品の説明等が印刷されている印刷物を、前面板２３の裏面に形成されている二つのＵ字状保持部２２ａ，２２ｂを利用して保持する。
【００２４】
そのため前面板２２の保持部２２ａ，２２ｂによる印刷物の保持が面倒であり、又取り付け後の保持の確実性が十分とはいえない。
【課題を解決するための手段】
【００２５】
本考案の商品陳列用具は、上下方向に伸びる側板と、この側板の上端部分より斜め前方および下方に伸びる前面板と、前面板と側板との間に商品落下防止用の板または商品落下防止用の網を挟むようにした保持用突出部を設け、商品陳列用具を保持するようにしたもので、前面板の前方に更に前面板と同一形状で透明な印刷物保持部材を設けたもので、これにより前面板と印刷物保持部材との間に商品情報等記載した印刷物を保持するようにしたものである。
【００２６】
又、本考案の商品陳列用具は、前記のような構成であって、更に側板の部分にテスターケース等を取り付ける支持部を設けたもので、この支持部を利用して商品見本等を置くようにしてある。
【考案の効果】
【００２７】
本考案の商品陳列用具は、前面板と印刷物保持部とにて印刷物を保持するようにしたもので、印刷物の取り付けが簡単であり、取り付け後は印刷物を良好な見易い状態にて保持し得る。
【図面の簡単な説明】
【００２８】
【図１】本考案の商品陳列用具の側面図
【図２】従来の商品陳列用具の側面図
【図３】他の従来の商品陳列用具の側面図
【考案を実施するための形態】
【００２９】
本考案の実施の形態を図示する実施例をもとに詳細に説明する。
【実施例１】
【００３０】
本考案の商品陳列用具は、その要部である商品の説明等のために用いる商品表示部分の構成を特徴とするもので、この商品表示部分は、図１に示す通りである。
【００３１】
図１は、前記商品表示部分の側面図で、この図において、２は側板、３は前面板、４は商品陳列棚の先端部分に設けられた商品が落下するのを防止するための落下防止板あるいは落下防止網を挟むように構成された保持用の突出部で、側板２と保持用突出部４とにより落下防止板または落下防止網を挟持することにより、商品表示用部材を商品棚の先端部分に取り付けるものである。これら図１における側板２、前面板３、保持用突出部４等の構成は、文献１、文献２に記載するものと実質上同一である。
【００３２】
しかし、本考案の商品陳列用具は、前面板３の前面に商品情報等を印刷した印刷物の保持板５および側板２の背面にカード差し６を設けたものである。又、図１における７は他のカード差し、８は他の保持部で、商品陳列棚に商品落下防止用板または商品落下防止用網が設けられていない場合等に用いられる。
【００３３】
この図１の商品陳列用具において、前面板３に近接配置された印刷物の保持板５は、前面板３とほぼ同一形状で、ほぼ同一の大きさであって、印刷物が挿入され得る程度の狭い間隙を設けて近接配置され、その下端３ａは前面板３と結合され、逆に上端３ｂは開いた形状である。したがって、印刷物は上端５ｂより容易に挿入されると共に、挿入後は前面板３に沿った形状で、狭い空間内に確実に保持される。
【００３４】
又、印刷物の保持板５は、透明または半透明の材料にて形成され挿入された印刷物の内容が明瞭に見得ることがより好ましい。
【００３５】
又、カード差し６は、表示カードの外にテスターケース、リーフレットケース等を保持するために用いられる。例えばテスターケースを保持し、商品を購入する者のテスト用として用いられる。一方前面板３の下端部分の保持部（カード差し）７は、バーコード等の商品管理用コードが記載されたカードを挿入、保持するために用いられる。
【産業上の利用可能性】
【００３６】
本考案の商品陳列用具は、陳列棚の前側に配置して商品の表示や広告用情報表示等を行なうために利用するものであって、前面板とその前方に設けた印刷物の保持板との間に印刷物を挿入保持するようにして、簡単に印刷物を挿入し得るようにし、挿入後は、確実に印刷物を保持し得る。
【符号の説明】
【００３７】
２    側板
３    前面板
５    保持板
６    カード差し
【図１】
0003157592.tif 000003
【図２】
0003157592.tif 000004
【図３】
0003157592.tif 000005
【手続補正書】
【提出日】平成21年12月9日(2009.12.9)
【手続補正１】
【補正対象書類名】実用新案登録請求の範囲
【補正対象項目名】全文
【補正方法】変更
【補正の内容】
【実用新案登録請求の範囲】
【請求項１】
上下方向に伸びる側板と、この側板の上端部分より斜め前方および下方に伸びる前面板と、前面板と側板との間に商品落下防止用の板又は商品落下防止用の網を挟むようにした保持用突出部を設けて陳列棚の前側部分に固定配置するようにした商品陳列用具であって、前記前面板の前に前記前面板とほぼ同一形状でほぼ同一の長さの印刷物保持部材を設けたことを特徴とする商品陳列用具。
【請求項２】
前記印刷物保持部材の下端部にカード差しを設けた請求項１の商品陳列用具。
【請求項３】
前記側板に商品見本を取り付け保持する保持部を更に備えた請求項１又は２の商品陳列用具。